(57)【要約】【課題】ＬＡＮ等のネットワークを構築することなく、低コストで、映像記録装置の状態を円滑に確認することが可能な監視システム、監視装置およびプログラムを提供する。【解決手段】映像記録装置１０は、映像記録装置１０および監視カメラ２０の状態を示す状態情報を管理し、監視カメラ２０を制御するため制御信号と区別可能な送信パケットで、状態情報を制御信号線４１に出力する。監視装置３０は、表示部３２２を備え、制御信号線４１を介して前記送信パケットを受信した場合に、受信した送信パケットに含まれる状態情報に基づいて、映像記録装置１０の状態を示す監視画面を、表示部３２２に表示させる。【選択図】図２
2018061177.tif 000002
【特許請求の範囲】
【請求項１】
監視カメラと、
前記監視カメラを制御するとともに前記監視カメラで撮像された映像を記録する映像記録装置と、
前記映像記録装置と前記監視カメラとを接続する制御信号線に分岐接続され、前記映像記録装置から前記制御信号線に出力される信号を受信する監視装置と、を備え、
前記映像記録装置は、前記映像記録装置の状態を示す状態情報を管理し、前記監視カメラを制御するため制御信号と区別可能な送信パケットで、前記状態情報を前記制御信号線に出力し、
前記監視装置は、表示部を備え、前記制御信号線を介して前記送信パケットを受信した場合に、受信した前記送信パケットに含まれる前記状態情報に基づいて、前記映像記録装置の状態を示す監視画面を、前記表示部に表示させる、
ことを特徴とする監視システム。
【請求項２】
請求項１に記載の監視システムにおいて、
前記映像記録装置は、所定の時間間隔で、前記送信パケットを出力し、
前記監視装置は、前記送信パケットの受信に応じて、前記監視画面を更新する、
ことを特徴とする監視システム。
【請求項３】
請求項１または２に記載の監視システムにおいて、
前記映像記録装置は、前記映像を記録するためのハードディスクドライブを備え、
前記状態情報は、前記ハードディスクドライブの状態を示すＨＤＤ情報を含む、
ことを特徴とする監視システム。
【請求項４】
請求項３に記載の監視システムにおいて、
前記ＨＤＤ情報は、前記ハードディスクドライブの温度を含み、
前記監視装置は、前記送信パケットに含まれた前記温度が所定の閾値を超える場合に、前記ハードディスクドライブに対する警告表示を前記監視画面に含める、
ことを特徴とする監視システム。
【請求項５】
請求項４に記載の監視システムにおいて、
前記監視装置は、前記ハードディスクドライブの温度の変遷を示すグラフを前記監視画面において表示させる、
ことを特徴とする監視システム。
【請求項６】
請求項３ないし５の何れか一項に記載の監視システムにおいて、
前記ＨＤＤ情報は、前記ハードディスクドライブの通電時間を含み、
前記監視装置は、前記送信パケットに含まれた前記通電時間が所定の閾値を超える場合に、前記ハードディスクドライブに対する警告表示を前記監視画面に含める、
ことを特徴とする監視システム。
【請求項７】
請求項３ないし６の何れか一項に記載の監視システムにおいて、
前記ＨＤＤ情報は、前記ハードディスクドライブにおけるセクターの代替処理に関する情報を含み、
前記監視装置は、前記送信パケットに含まれた前記代替処理に関する情報が所定のエラー条件に適合した場合に、前記ハードディスクドライブに対する警告表示を前記監視画面に含める、
ことを特徴とする監視システム。
【請求項８】
請求項３ないし７の何れか一項に記載の監視システムにおいて、
前記映像記録装置は、複数の前記ハードディスクドライブを搭載可能であり、前記ハードディスクドライブごとに前記ＨＤＤ情報を管理し、各ハードディスクドライブの前記ＨＤＤ情報を前記状態情報に含めて前記制御信号線に出力し、
前記監視装置は、前記ハードディスクドライブごとに、前記ＨＤＤ情報に基づく現状の表示を前記監視画面に含める、
ことを特徴とする監視システム。
【請求項９】
請求項１ないし８の何れか一項に記載の監視システムにおいて、
前記状態情報は、前記監視カメラの状態を示すカメラ情報をさらに含み、
前記監視装置は、受信した前記送信パケットに含まれる前記カメラ情報に基づいて、前記監視カメラの状態を示す表示を前記監視画面に含める、
ことを特徴とする監視システム。
【請求項１０】
請求項１ないし９の何れか一項に記載の監視システムにおいて、
前記映像記録装置から前記監視装置に送信される前記送信パケットは、特異な同期データを用いることにより、前記監視カメラを制御する制御信号と区別可能となっている、
ことを特徴とする監視システム。
【請求項１１】
請求項１ないし１０の何れか一項に記載の監視装置の構成を備えた監視装置。
【請求項１２】
請求項１ないし１１の何れか一項に記載の監視装置の機能を監視装置のコンピュータに付与するプログラム。
【発明の詳細な説明】
【技術分野】
【０００１】
本発明は、監視カメラで撮影した映像を映像記録装置に記録する監視システム、および、当該監視システムに用いる監視装置およびプログラムに関する。
【背景技術】
【０００２】
現在、監視カメラで撮影した映像を映像記録装置に記録する監視システムが、銀行等の施設に設置されている。この監視システムでは、監視対象とされるエリアごとに監視カメラが設置され、各監視カメラがＤＶＲ（Digital Video Recorder）等の映像記録装置に接続されている。たとえば、１つの映像記録装置に１６台の監視カメラが接続可能となっている。
【０００３】
また、映像記録装置は、さらに、各監視カメラを制御する機能を備えている。たとえば、映像記録装置は、監視カメラごとに、撮像方向を、水平方向（Ｐａｎ方向）および鉛直方向（Ｔｉｌｔ方向）に変化させる機能（Ｐａｎ制御、Ｔｉｌｔ制御）を備えている。
【０００４】
このような監視システムでは、使用環境や経年劣化等の要因によって、システムに故障等の不具合が発生し、これにより、記録されるべき映像が正しく記録されないといった事態が起こり得る。このような事態は、監視を目的とする監視システムにおいて極めて重大な問題となる。
【０００５】
これに対し、以下の特許文献１には、監視装置を用いてシステムの健常性を確認する構成が記載されている。具体的には、監視装置が、ネットワークを介して映像記録装置にアクセスし、映像記録装置から、録画の日付・時刻の情報、録画情報、およびデータサイズの情報等を取得する。このうち、データサイズの情報に基づいて、監視カメラが故障であること、あるいは、監視カメラと映像記録装置との接続が不良であることが確認可能であると記載されている。
【先行技術文献】
【特許文献】
【０００６】
【特許文献１】特開２０１４−１５０３１８号公報
【発明の概要】
【発明が解決しようとする課題】
【０００７】
上記特許文献１には、上記のように監視カメラ側の不具合を確認できるものの、映像記録装置側の故障や不具合を確認することについては、何ら言及されていない。映像記録装置側に故障や不具合が生じた場合も、監視カメラで撮影された映像が正しく記録されない事態が起こり得るため、このような不具合にも適正に対処する必要がある。
【０００８】
また、特許文献１のシステムは、監視装置と映像記録装置との間にＬＡＮ等のネットワークを構築する必要があるため、コストが掛かるとの問題がある。さらに、銀行等の施設では、セキュリティ上の問題から、施設にＬＡＮ等のネットワークを構築することが制限されている。このため、銀行等の施設に特許文献１のシステムを適用することは困難である。
【０００９】
かかる課題に鑑み、本発明は、ＬＡＮ等のネットワークを構築することなく、低コストで、映像記録装置の状態を円滑に確認することが可能な監視システム、監視装置およびプログラムを提供することを目的とする。
【課題を解決するための手段】
【００１０】
本発明の第１の態様は、監視システムに関する。本態様に係る監視システムは、監視カメラと、前記監視カメラを制御するとともに前記監視カメラで撮像された映像を記録する映像記録装置と、前記映像記録装置と前記監視カメラとを接続する制御信号線に分岐接続され、前記映像記録装置から前記制御信号線に出力される信号を受信する監視装置と、を備える。ここで、前記映像記録装置は、前記映像記録装置の状態を示す状態情報を管理し、前記監視カメラを制御するため制御信号と区別可能な送信パケットで、前記状態情報を前記制御信号線に出力する。前記監視装置は、表示部を備え、前記制御信号線を介して前記送信パケットを受信した場合に、受信した前記送信パケットに含まれる前記状態情報に基づいて、前記映像記録装置の状態を示す監視画面を、前記表示部に表示させる。
【００１１】
本態様に係る監視システムによれば、映像記録装置と前記監視カメラとを接続する制御信号線に監視装置が分岐接続され、制御信号線を用いて状態情報が映像記録装置から監視装置に送信される。したがって、ＬＡＮ等のネットワークを構築することなく、低コストの構成により、状態情報を監視装置に送信できる。ここで、制御信号線に出力された状態情報は、監視装置とともに、監視カメラにおいても受信される。しかし、状態情報は、監視カメラを制御するため制御信号と区別可能な送信パケットで送信されるため、このように状態情報が監視カメラに受信されても、監視カメラの制御に影響を与えることがない。さらに、状態情報には、映像記録装置の状態を示す情報が含まれるため、監視装置において、映像記録装置の状態を示す監視画面を表示させ得る。
【００１２】
したがって、本発明に係る監視システムによれば、ＬＡＮ等のネットワークを構築することなく、低コストで、映像記録装置の状態を円滑に確認することができる。
【００１３】
本発明の第２の態様は、監視装置に関する。本態様に係る監視装置は、上記第１の態様に係る監視システムと同様の監視装置の構成を備える。
【００１４】
したがって、本態様に係る監視装置を第１の態様の映像記録装置に組み合わせることにより、上記第１の態様と同様、ＬＡＮ等のネットワークを構築することなく、低コストで、映像記録装置の状態を円滑に確認できるとの効果が奏され得る。
【００１５】
本発明の第３の態様は、上記第１の態様に係る監視装置の機能を、監視装置のコンピュータに付与するプログラムである。
【００１６】
したがって、本態様に係るプログラムを搭載した監視装置を第１の態様の映像記録装置に組み合わせることにより、上記第１の態様と同様、ＬＡＮ等のネットワークを構築することなく、低コストで、映像記録装置の状態を円滑に確認できるとの効果が奏され得る。
【発明の効果】
【００１７】
以上のとおり、本発明によれば、ＬＡＮ等のネットワークを構築することなく、低コストで、映像記録装置の状態を円滑に確認することが可能な監視システム、監視装置およびプログラムを提供することができる。
【００１８】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００１９】
【図１】図１は、実施形態に係る監視システムの全体構成を模式的に示す図である。
【図２】図２は、実施形態に係る監視システムを構成する各装置の構成および接続状態を示すブロック図である。
【図３】図３（ａ）は、実施形態に係る映像記録装置における状態情報の送信処理を示すフローチャートである。図３（ｂ）は、実施形態に係る監視装置における状態情報の受信処理を示すフローチャートである。
【図４】図４（ａ）は、実施形態に係る映像記録装置と監視装置との間の通信に用いる送信パケットの構成を示す図である。図４（ｂ）は、実施形態に係る映像記録装置から監視装置に対して情報を送信する際の送信パケットの構成を示す図である。図４（ｃ）は、実施形態に係る監視装置から映像記録装置に対して情報を送信する際の送信パケットの構成を示す図である。
【図５】図５は、実施形態に係る映像記録装置から監視装置に対して送信される情報のコマンドリストを示す図である。
【図６】図６は、実施形態に係る映像記録装置から監視装置に対して送信される情報のコマンドリストを示す図である。
【図７】図７は、実施形態に係る映像記録装置から監視装置に対して送信される情報のコマンドリストを示す図である。
【図８】図８は、実施形態に係る各コマンドリストの情報を映像記録装置から監視装置に対して送信する際の送信パケットの構成を示す図である。
【図９】図９は、実施形態に係る各コマンドリストの情報を映像記録装置から監視装置に対して送信する際の送信パケットの構成を示す図である。
【図１０】図１０は、実施形態に係る各コマンドリストの情報を映像記録装置から監視装置に対して送信する際の送信パケットの構成を示す図である。
【図１１】図１１は、実施形態に係る各コマンドリストの情報を監視装置から映像記録装置に対して送信する際の送信パケットの構成を示す図である。
【図１２】図１２は、実施形態に係るＨＤＤ−ＤＶＲ情報のタブが選択された場合の監視画面の構成を示す図である。
【図１３】図１３は、実施形態に係るカメラ情報のタブが選択された場合の監視画面の構成を示す図である。
【図１４】図１４は、実施形態に係るＨＤＤ温度グラフのタブが選択された場合の監視画面の構成を示す図である。
【発明を実施するための形態】
【００２０】
以下、本発明の実施形態について、図面を参照して説明する。
【００２１】
図１は、監視システム１の全体構成を模式的に示す図である。
【００２２】
図１に示すように、監視システム１は、映像記録装置１０と、監視カメラ２０と、監視装置３０と、を備えている。
【００２３】
映像記録装置１０は、ＤＶＲ等からなっており、監視カメラ２０で撮影された映像を随時、撮影日時とともに記録する。本実施形態では、映像記録装置１０に対して、１６台の監視カメラ２０が接続可能となっている。監視カメラ２０の接続台数は、必ずしも複数でなくともよく、１台でもよい。映像記録装置１０は、Ｐａｎ制御およびＴｉｌｔ制御等、各監視カメラ２０を制御する機能を備える。この制御のため、映像記録装置１０は、図１に示すように、制御信号線４１を介して、各監視カメラ２０にパラレルに接続されている。制御信号線４１は、たとえば、ＲＳ４８５の通信規格に従った有線の信号線である。
【００２４】
監視カメラ２０は、監視対象のエリアにそれぞれ設置されている。監視カメラ２０は、映像記録装置１０からの制御信号により制御される。たとえば、監視カメラ２０は、制御信号によって、撮影方向がＰａｎ方向（水平方向）とＴｉｌｔ方向（鉛直方向）に制御される。また、各監視カメラ２０は、制御信号線４１とは別の信号線によって、個別に、映像記録装置１０に接続されている。監視カメラ２０によって撮影された映像は、この信号線を介して、映像記録装置１０に送信される。
【００２５】
監視装置３０は、インタフェースボード（以下、「ＩＦボード」という）３１と、汎用のパーソナルコンピュータ（以下、「ＰＣ」という）３２と、を備える。監視装置３０は、必ずしも、ＩＦボード３１とＰＣ３２とに分かれていなくともよく、ＩＦボード３１とＰＣ３２とが一体化された専用装置であってもよい。
【００２６】
ＩＦボード３１は、制御信号線４１に分岐接続されている。すなわち、制御信号線４１に信号線４１ａが電気的に接続され、この信号線４１ａを介してＩＦボード３１が制御信号線４１に接続されている。ＩＦボード３１は、ＲＳ４８５に従った通信を行うための通信インタフェースである。ＩＦボード３１は、映像記録装置１０から制御信号線４１に出力された信号を、制御信号線４１から分岐した信号線４１ａを介して受信し、受信した信号に基づく情報を、ＰＣ３２に送信する。
【００２７】
本実施形態では、映像記録装置１０および各監視カメラ２０の状態を示す状態情報が、映像記録装置１０によって管理されている。具体的には、映像記録装置１０は、当該映像記録装置１０に搭載されたハードディスクの状態（温度、通電時間、セクター代替処理、等）を示す情報（以下、「ＨＤＤ情報」という）を、状態情報として、ハードディスクに逐次、更新記録する。また、映像記録装置１０は、各監視カメラ２０の状態（監視カメラ２０との接続状態、録画モード、等）を示す情報（以下、「カメラ情報」という）を、状態情報として、ハードディスクに逐次、更新記録する。
【００２８】
映像記録装置１０は、こうして管理する状態情報を、ＲＳ４８５による通信を利用した独自プロトコルの送信パケットにより、一定周期で、制御信号線４１に出力する。監視装置３０は、制御信号線４１に出力された独自プロトコルの送信パケットを、信号線４１ａを介して受信し、受信した送信パケットに含まれた状態情報に基づいて、映像記録装置１０および各監視カメラ２０の状態を示す監視画面を表示させる。ユーザは、表示された監視画面を参照することにより、映像記録装置１０および各監視カメラ２０における問題を確認することができる。
【００２９】
また、監視装置３０は、独自プロトコルの送信パケットを用いて、制御情報（たとえば、日時を補正する制御情報、等）を、映像記録装置１０に送信する。
【００３０】
なお、映像記録装置１０と監視装置３０との間の通信に用いる独自プロトコルの送信パケットは、監視カメラ２０を制御するため制御信号と区別可能で、且つ、監視カメラ２０の制御に影響を与えないようなフォーマットに設定されている。送信パケットの構成は、追って、図４（ａ）〜（ｃ）を参照して説明する。
【００３１】
図２は、監視システム１を構成する各装置の構成および接続状態を示すブロック図である。便宜上、図２には、複数の監視カメラ２０のうち１台の構成が示されている。他の監視カメラ２０も図２と同様の構成および接続状態となっている。
【００３２】
図２に示すように、映像記録装置１０は、ＲＳ通信ＩＦ１０１と、映像入力ＩＦ１０２と、音声入力ＩＦ１０３と、制御処理部１０４と、ＲＡＭ（Random Access Memory）１０５と、ＨＤＤ（Hard DiscDrive）１０６と、温度センサ１０７と、を備えている。
【００３３】
ＲＳ通信ＩＦ１０１は、ＲＳ４８５に基づく通信を行うためのインタフェースである。ＲＳ通信ＩＦ１０１は、制御信号線４１に接続されている。映像入力ＩＦ１０２は、監視カメラ２０から送信される映像信号を受信するインタフェースである。映像入力ＩＦ１０２は、信号線４２によって監視カメラ２０の映像出力ＩＦ２０２に接続されている。音声入力ＩＦ１０３は、監視カメラ２０から送信される音声信号を受信するインタフェースである。音声入力ＩＦ１０３は、信号線４３によって監視カメラ２０の音声出力ＩＦ２０３に接続されている。
【００３４】
なお、映像記録装置１０には、映像入力ＩＦ１０２と音声入力ＩＦ１０３の組が１６組設けられている。各組の映像入力ＩＦ１０２および音声入力ＩＦ１０３に、それぞれ、１つの監視カメラ２０から出力された映像信号および音声信号が入力される。ＲＳ通信ＩＦ１０１は、映像記録装置１０に１つだけ設けられている。ＲＳ通信ＩＦ１０１に接続された制御信号線４１は、各監視カメラ２０のＲＳ通信ＩＦ２０１に、パラレルに接続される。この他、映像記録装置１０には、所定の監視カメラ２０の監視エリア付近に設置された人感センサ（図示せず）からの検出信号を受信して制御処理部１０４に送信するインタフェース（図示せず）が設けられている。
【００３５】
制御処理部１０４は、ＣＰＵ（Central Processing Unit）等の信号処理回路を備え、ＨＤＤ１０６に格納された制御プログラムに従って各部を制御する。制御処理部１０４は、映像入力ＩＦ１０２を介して入力された各監視カメラ２０からの映像信号を処理する機能と、音声入力ＩＦ１０３を介して入力された各監視カメラ２０からの音声信号を処理する機能と、を備える。制御処理部１０４は、内部時計を備え、各監視カメラ２０から入力された映像信号および音声信号の処理データを、日時とともにＨＤＤ１０６に記録する。
【００３６】
ＲＡＭ１０５は、各種データを一時的に記憶するために用いられる。また、ＲＡＭ１０５は、制御処理部１０４による画像処理および音声処理においてワーク領域として用いられる。
【００３７】
ＨＤＤ１０６は、ハードディスクと、ハードディスクを駆動する駆動機構と、磁気ヘッドユニットとを備え、各監視カメラ２０から入力された映像信号および音声信号の処理データをハードディスクに記憶する。図２には、１つのＨＤＤ１０６が図示されているが、映像記録装置１０には、複数（たとえば８つ）のＨＤＤ１０６が搭載され得る。
【００３８】
温度センサ１０７は、ＨＤＤ１０６のハードディスク付近の温度を検出する。温度センサ１０７は、それぞれのＨＤＤ１０６に１つずつ配置されている。
【００３９】
映像記録装置１０は、たとえば、リモートコントローラ（図示せず）によって、各種設定が可能である。また、映像記録装置１０は、フロントパネルの操作ボタン（図示せず）によっても、各種設定が可能である。
【００４０】
監視カメラ２０は、ＲＳ通信ＩＦ２０１と、映像出力ＩＦ２０２と、音声出力ＩＦ２０３と、制御処理部２０４と、記憶部２０５と、カメラ部２０６と、マイク部２０７と、を備えている。
【００４１】
ＲＳ通信ＩＦ２０１は、ＲＳ４８５に基づく通信を行うためのインタフェースである。ＲＳ通信ＩＦ２０１は、制御信号線４１に接続されている。映像出力ＩＦ２０２は、カメラ部２０６で取得された映像信号を出力するインタフェースである。映像出力ＩＦ２０２は、信号線４２によって映像記録装置１０の映像入力ＩＦ１０２に接続されている。音声出力ＩＦ２０３は、監視カメラ２０で取得された音声信号を出力するインタフェースである。音声出力ＩＦ２０３は、信号線４３によって映像記録装置１０の音声入力ＩＦ１０３に接続されている。
【００４２】
制御処理部２０４は、ＣＰＵ等の信号処理回路を備え、記憶部２０５に格納された制御プログラムに従って各部を制御する。記憶部２０５は、ＲＡＭ等のメモリを備え、制御処理部２０４の制御プログラムを記憶する。記憶部２０５は、制御処理部２０４による画像処理および音声処理の際のワーク領域としても用いられる。
【００４３】
カメラ部２０６は、撮影のための光学系およびイメージセンサと、撮影方向をＰａｎ方向およびＴｉｌｔ方向に変化させるためのアクチュエータとを備える。マイク部２０７は、マイクを備え、監視カメラ２０の周囲の音声を取得して、制御処理部２０４に出力する。
【００４４】
ＩＦボード３１は、ＲＳ通信ＩＦ３１１と、ＵＳＢ通信ＩＦ３１２と、制御部３１３と、を備える。
【００４５】
ＲＳ通信ＩＦ３１１は、ＲＳ４８５に基づく通信を行うためのインタフェースである。ＲＳ通信ＩＦ３１１は、信号線４１ａを介して制御信号線４１に接続されている。ＵＳＢ通信ＩＦ３１２は、ＵＳＢ規格に基づく通信を行うためのインタフェースである。ＵＳＢ通信ＩＦ３１２は、ＵＳＢケーブル４４により、ＰＣ３２のＵＳＢ通信ＩＦ３２１に接続されている。制御部３１３は、ＣＰＵ等の信号処理回路を備え、制御プログラムに従って、各部を制御する。
【００４６】
ＰＣ３２は、ＵＳＢ通信ＩＦ３２１と、表示部３２２と、入力部３２３と、制御部３２４と、記憶部３２５と、を備える。
【００４７】
ＵＳＢ通信ＩＦ３２１は、ＵＳＢ規格に基づく通信を行うためのインタフェースである。ＵＳＢ通信ＩＦ３２１は、ＵＳＢケーブル４４により、ＩＦボード３１のＵＳＢ通信ＩＦ３１２に接続されている。表示部３２２は、液晶モニタ等の表示手段を備える。入力部３２３は、マウスやキーボード等の入力手段を備える。
【００４８】
制御部３２４は、ＣＰＵ等の信号処理回路を備え、記憶部３２５に記憶された制御プログラムに従って、各部を制御する。記憶部３２５は、ハードディスクドライブやメモリを備え、制御部３２４の制御プログラムを記憶する。また、記憶部３２５は、制御部３２４における処理の際に、ワーク領域として用いられる。
【００４９】
図２の構成において、監視カメラ２０は、目標領域を継続的に撮影し、映像出力ＩＦ２０２を介して映像信号を映像記録装置１０に出力する。その間、監視カメラ２０は、制御信号線４１を介して映像記録装置１０から入力される制御信号に応じて、撮影方向をＰａｎ方向およびＴｉｌｔ方向に変化させる。また、監視カメラ２０は、設置位置付近で取得した音声信号を継続的に映像記録装置１０に出力する。
【００５０】
映像記録装置１０は、監視カメラ２０から受信した映像信号および音声信号を制御処理部１０４において処理し、処理した映像データおよび音声データを、録画モードの設定に応じてＨＤＤ１０６に適宜記憶する。
【００５１】
たとえば、録画モードとしてモーション録画が映像記録装置１０に設定されている場合、制御処理部１０４は、映像信号に基づき映像に動きがあるか否かを判定し、動きがある場合に、当該映像信号および音声信号に基づく映像データおよび音声データを日時とともにＨＤＤ１０６に記録する。また、録画モードとしてセンサ録画が映像記録装置１０に設定されている場合、制御処理部１０４は、人感センサからの検出信号により人が検知されたか否かを判定し、人が検知された場合に、当該映像信号および音声信号に基づく映像データおよび音声データを日時とともにＨＤＤ１０６に記録する。こうして、各監視カメラ２０で取得された映像および音声が映像記録装置１０に記録される。
【００５２】
この他、映像記録装置１０は、映像記録装置１０および各監視カメラ２０の状態を示す状態情報を管理する機能を有する。状態情報は、ＨＤＤ１０６に継続的に更新記録される。
【００５３】
たとえば、映像記録装置１０は、温度センサ１０７が逐次検出した各ＨＤＤ１０６の温度を、状態情報として、継続的にＨＤＤ１０６に記録する。また、映像記録装置１０は、各ＨＤＤ１０６が最初に起動されてからのトータルの通電時間を、状態情報として、ＨＤＤ１０６に記録する。また、映像記録装置１０は、記録時に代替処理されたセクターの数や、代替処理ができなかったセクターの数を、状態情報として、ＨＤＤ１０６に記録する。状態情報の管理は、制御プログラムに従って、制御処理部１０４が実行する。
【００５４】
また、映像記録装置１０は、状態情報を、所定の周期（たとえば、１分周期）で、制御信号線４１に出力する。ここで、映像記録装置１０は、監視カメラ２０を制御するため制御信号と区別可能で、且つ、監視カメラ２０の制御に影響を与えないような独自プロトコルの送信パケットで、状態情報を出力する。送信パケットの生成および出力は、制御プログラムに従って、制御処理部１０４が実行する。
【００５５】
こうして出力された独自プロトコルの送信パケットは、監視装置３０のＩＦボード３１によって受信される。ＩＦボード３１は、受信した送信パケット中の状態情報をＰＣ３２に送信する。ＰＣ３２は、受信した状態情報に基づいて、映像記録装置１０および各監視カメラ２０の状態を示す監視画面を、表示部３２２に表示させる。監視画面の生成および表示は、制御プログラムに従って、制御処理部２０４が実行する。
【００５６】
図３（ａ）は、映像記録装置１０における状態情報の送信処理を示すフローチャートである。
【００５７】
映像記録装置１０の制御処理部１０４は、内部時計を参照し、状態情報の送信タイミング（たとえば、１分周期）が到来したか否かを判定する（Ｓ１０１）。送信タイミングが到来すると（Ｓ１０１：ＹＥＳ）、制御処理部１０４は、状態情報を独自プロトコルの送信パケットに含めて送信パケットを生成し（Ｓ１０２）、生成した送信パケットを制御信号線４１に出力する（Ｓ１０３）。
【００５８】
図４（ａ）は、映像記録装置１０と監視装置３０との間の通信に用いる送信パケットの構成を示す図である。
【００５９】
送信パケットは、１バイトずつ区切られた計８バイトのデータで構成されている。同期領域には、監視カメラ２０の制御に用いる同期データと異なるパターンで同期データが配列されている。同期領域には、監視カメラ２０の動作に影響を及ぼさないデータパターンで同期データが格納される。
【００６０】
送信先ＩＤおよび送信元ＩＤの領域には、それぞれ、当該送信パケットの送信先および送信元を示すデータが格納される。コマンド領域には、当該送信パケットで送信されるデータの内容を特定するデータが格納される。データ０〜データ３の領域には、実データが格納される。チェックサム領域には、送信パケットにより送信されるデータのエラーチェックのためのデータが格納される。
【００６１】
映像記録装置１０から監視装置３０に対して情報を送信する場合、図４（ｂ）に示すように、送信先ＩＤの領域に監視装置３０のＩＤデータが格納され、送信元ＩＤの領域には、映像記録装置１０を示す００のデータが格納される。監視装置３０から映像記録装置１０に対して情報を送信する場合、図４（ｃ）に示すように、送信先ＩＤの領域に映像記録装置１０を示す００のデータが格納され、送信元ＩＤの領域には、監視装置３０のＩＤデータが格納される。
【００６２】
なお、監視カメラ２０の制御のための制御データは、図４（ａ）のフォーマットと異なるフォーマットとなっている。図４（ａ）のフォーマットでは、制御データと区別可能で、且つ、監視カメラ２０の制御に影響を与えないように、送信パケットの先頭に特異なパターンの同期データが配置されている。
【００６３】
図３（ｂ）は、実施形態に係る監視装置における状態情報の受信処理を示すフローチャートである。
【００６４】
ＩＦボード３１を介して送信パケットを受信すると（Ｓ２０１：ＹＥＳ）、ＰＣ３２の制御部３２４は、受信した制御パケットの同期データが、独自プロトコルの同期データに整合するか否かを判定する（Ｓ２０２）。Ｓ２０２の判定がＮＯの場合、制御部３２４は、当該送信パケットは不要な送信パケットであるとして処理を終了する。他方、Ｓ２０２の判定がＹＥＳの場合、制御部３２４は、送信パケットに含まれた送信先ＩＤが監視装置３０に対応するＩＤであるか、および、チェックサムによるエラーチェックが適正になされ得るか否かを判定する（Ｓ２０３）。
【００６５】
Ｓ２０３の判定がＮＯの場合、制御部３２４は、当該制御パケットは不要な制御パケットであるとして処理を終了する。Ｓ２０３の判定がＹＥＳの場合、制御部３２４は、当該送信パケットに格納された状態情報（データ０〜３の領域に格納されたデータ）を記憶部３２５に更新記憶させる（Ｓ２０４）。このとき、制御部３２４は、送信パケットのコマンドのデータを参照して、送信パケットに含まれた状態情報の種別を識別し、種別ごとに、状態情報を記憶部３２５に更新記憶させる。そして、制御部３２４は、更新された状態情報に基づいて、表示部３２２に表示させる監視画面を更新する（Ｓ２０５）。
【００６６】
図５〜図７は、それぞれ、映像記録装置１０から監視装置３０に対して送信される情報（状態情報）のコマンドリストを示す図である。
【００６７】
図５〜図７に示された項目のうち、番号１〜６の項目の情報が、カメラ情報に対応し、番号１５〜７０がＨＤＤ情報に対応する。映像記録装置１０の制御処理部１０４は、番号１〜６のカメラ情報と、番号１５〜７０のＨＤＤ情報を、状態情報として、ＨＤＤ１０６に更新記憶する。ここで、番号１〜６のカメラ情報は、接続可能な１６の監視カメラ２０ごとに管理される。番号１５〜６２のＨＤＤ情報は、搭載可能な８つのＨＤＤ１０６ごとに区分され、ＨＤＤ１０６ごとに６つの項目が割り当てられている。
【００６８】
映像記録装置１０の制御処理部１０４は、接続可能な１６の監視カメラ２０に割り当てられた１６の映像入力ＩＦ１０２（図２参照）から入力される映像信号の状況を監視して、番号１、６のカメラ情報を継続的に更新する。番号２〜５のカメラ情報は、ユーザによる録画モードの設定に応じて更新される。また、映像記録装置１０の制御処理部１０４は、搭載可能な８つのＨＤＤ１０６を監視して、番号１５〜７０のＨＤＤ情報を継続的に更新する。
【００６９】
映像記録装置１０の制御処理部１０４は、図５〜図７に示された各項目のデータを、項目ごとに、図４（ｂ）の送信パケットに格納して送信する。すなわち、１つの送信パケットによって、１つの項目のデータが送信される。したがって、映像記録装置１０から監視装置３０に状態情報を送信する場合には、番号１〜７１の各項目のデータが、それぞれ、異なる送信パケットに格納されて、シリアルに送信される。
【００７０】
番号１の項目は、各映像入力ＩＦ１０２に対する映像信号の有無を示す項目である。
【００７１】
番号２〜５の項目には、各監視カメラ２０に対する録画モードの設定状態が反映される。たとえば、常時録画のモード（常に録画し続けるモード）が設定されている場合、番号２の項目のデータが１となり、このモードが設定されていない場合は、番号２の項目のデータが０となる。また、モーション録画のモードが設定されている場合に、モーションが検出されると、番号３の項目のデータが１となり、モーションが検出されていないと、番号３の項目のデータが０となる。また、センサ録画のモードが設定されている場合に、人感センサからの出力により人が検出されると、番号４の項目のデータが１となり、人が検出されていないと、番号４の項目のデータが０となる。さらに、手動録画のモードが設定されている場合、番号５の項目のデータが１となり、このモードが設定されていない場合は、番号５の項目のデータが０となる。
【００７２】
番号６の項目は、各映像入力ＩＦ１０２における映像信号の有無の変化を示す項目である。
【００７３】
番号１１〜１２の項目は、映像記録装置１０の内部時計で計測された現在の年、月、日、時、分、秒を示す項目である。
【００７４】
番号１５〜２０は、映像記録装置１０に搭載可能な８つのＨＤＤ１０６のうち、１番目のＨＤＤ１０６の状態を示す項目である。番号１５の項目は、代替処理によりデータが置換されたセクターを示す項目である。番号１６の項目は、当該ＨＤＤ１０６の使用が開始されてからのトータルの通電時間を示す項目である。番号１７の項目は、当該ＨＤＤ１０６において、ハードディスクが停止された後、再度、ハードディスクが起動された回数（スピンリトライカウント値）を示す項目である。番号１８の項目は、当該ＨＤＤ１０６のハードディスク付近の温度を示す項目である。番号１９の項目は、ファームウェアで認識されている不安定なセクターを示す項目である。番号２０の項目は、代替処理に使えない不良なセクターを示す項目である。
【００７５】
番号２１〜２６の項目は、２番目のＨＤＤ１０６の状態を示す項目であり、各項目の内容は、番号１５〜２０と同様である。同様に、番号２７〜６２の項目は、３番目〜８番目のＨＤＤ１０６の状態を示す項目である。番号６３〜７０の項目は、それぞれ、１番目〜８番目のＨＤＤ１０６の通算稼働日数を示す項目である。
【００７６】
図８〜図１０は、上記各コマンドリストの情報を映像記録装置１０から監視装置３０に送信する際の送信パケットの構成を示す図である。各行の“項目”の右側に、当該項目のデータを送信する場合の送信パケットのデータ構成が示されている。
【００７７】
図８〜図１０に示す送信パケットでは、同期の領域に、“Ｆ０”のデータが割り当てられている。また、コマンド（ＣＭＤ）の領域に、各項目を識別するためのデータが格納されている。
【００７８】
なお、コマンドリストの番号１〜６の送信パケットは、データ０〜データ３の領域の合計４バイト（３２ビット）のデータによって、映像記録装置１０に接続可能な１６の監視カメラ２０の状態を保持している。たとえば、３２ビットのデータが２ビットずつ１６の監視カメラ２０に割り当てられ、各２ビットのデータによって、各項目の各監視カメラ２０の状態が示されている。
【００７９】
図１１は、監視装置３０から映像記録装置１０に対して情報を送信する際の送信パケットの構成を示す図である。各行の“項目”の右側に、当該項目のデータを送信する場合の送信パケットのデータ構成が示されている。各行の右端欄に、各項目のコマンドの内容が記載されている。
【００８０】
図１１に示す送信パケットでは、同期の領域に、“Ｆ０”のデータが割り当てられている。また、コマンド（ＣＭＤ）の領域に、各項目を識別するためのデータが格納されている。番号２〜５の項目のデータは、映像記録装置１０の内部時計を、ＰＣ３２の時計に設定する場合に送信される。また、番号６〜９の項目のデータは、映像記録装置１０の内部時計を、ＰＣ３２の時計に補正する場合に送信される。
【００８１】
監視装置３０のＰＣ３２は、図８〜図１０に示す送信パケットを受信した場合に、各送信パケットに含まれる各項目の状態情報に基づいて、表示部３２２に表示されている監視画面を更新する。以下、図１２〜図１４を参照して、監視画面の構成について説明する。
【００８２】
図１２は、ＨＤＤ−ＤＶＲ情報のタブ５１ｂが選択された場合の監視画面５０の構成を示す図である。
【００８３】
図１２に示すように、監視画面５０は、４つのタブ５１ａ〜５１ｄを備えている。タブ５１ａは、映像記録装置１０から受信したデータの一覧を表示させるためのタブである。タブ５１ｂは、映像記録装置１０に搭載された各ＨＤＤ１０６の状態および映像記録装置１０の内部時計の状態を表示させるためのタブである。タブ５１ｃは、映像記録装置１０に接続された監視カメラ２０の状態を表示させるためのタブである。タブ５１ｄは、映像記録装置１０に搭載された各ＨＤＤ１０６の温度の推移をグラフで表示させるためのタブである。図１２には、入力部３２３を介して、タブ５１ｂが選択された場合の監視画面５０が示されている。
【００８４】
この場合、監視画面５０は、ＨＤＤ１０６の現状を示す領域５１１と、ＨＤＤ１０６の現在の状態を所定の条件で評価した評価結果を示す領域５１２と、当該評価の条件を設定するための領域５１３と、映像記録装置１０に関する情報を示す領域５１４と、映像記録装置１０の内部時計とＰＣ３２の時計との間の時間差を示す領域５１５とを含んでいる。
【００８５】
領域５１１には、８つのＨＤＤ１０６を選択するためのタブ５１１ａが配置されている。ユーザは、タブ５１１ａの選択を切り替えることにより、各ＨＤＤ１０６の現状を確認できる。領域５１１には、ＨＤＤ１０６の温度（ハードディスク付近の温度）が、数字とグラフで示されている。グラフは、０℃を最小値、１００℃を最大値として、現在の温度が棒グラフで示されている。また、領域５１１には、ＨＤＤ１０６のトータルの通電時間が、数字とグラフで示されている。グラフは、０時間を最小値、２００００時間を最大値として、現在の通電時間が棒グラフで示されている。
【００８６】
さらに、領域５１１には、ＨＤＤ１０６のスピンリトライカウント値（回数）と、現在保留中のセクター数（ファームウェアで認識されている不安定なセクターの数）と、代替処理セクター数（代替処理に用いられたセクターの数）と、代替処理不能セクター数（代替処理に用い得ない不良セクターの数）と、ＨＤＤ１０６の稼働日数とが示されている。
【００８７】
ユーザは、領域５１１を参照することにより、タブ５１１ａで選択したＨＤＤ１０６の現状を確認できる。また、ユーザは、温度と通電時間のグラフを参照することにより、タブ５１１ａで選択したＨＤＤ１０６の温度と通電時間を直感的に把握できる。
【００８８】
領域５１２には、左端欄の各項目に対する各ＨＤＤ１０６の評価結果が表示される。各項目の評価において、領域５１３の閾値が用いられる。ユーザは、入力部３２３を介して、設定キー５１３ａを選択することにより、各項目の閾値を設定できる。ここでは、ＨＤＤ１０６の温度の閾値として、“温度１”と“温度２”の２つの閾値が設定可能である。また、ＨＤＤ１０６の通電時間の閾値として、“通電時間１”と“通電時間２”の２つの閾値が設定可能である。各項目に対する閾値の設定が完了すると、ユーザは、入力部３２３を介して、完了キー５１３ｂを選択する。これにより、設定された閾値が有効となる。
【００８９】
領域５１２には、搭載可能な８つのＨＤＤ１０６に対する評価結果が表示される。ＰＣ３２の制御部３２４は、受信した状態情報に基づいて、ＨＤＤ１０６ごとに、各項目の値が閾値を超えたか否かを判定する。そして、制御部３２４は、各項目の値が閾値を超えた場合に、各項目の欄を強調する表示を行う。たとえば、１番目のＨＤＤ１０６（ＨＤＤ１）の温度が閾値である温度１を超えた場合、制御部３２４は、温度１の項目のＨＤＤ１に対応する欄に所定の色（黄色、赤色など）を付す。
【００９０】
このように、項目の値が閾値を超えた場合に、対応する欄を強調表示することにより、ユーザは、ＨＤＤ１０６の異常を容易に把握でき、適切な対応をとることができる。
【００９１】
なお、領域５１２において、温度１、温度２、通電時間１、通電時間２の項目に対応する欄には、これら項目の値が閾値を超えた場合に１が表示され、閾値を超えていない場合は０が表示される。また、領域５１２の代替処理セクター、スピンリトライカウント、現在保留中のセクター、代替処理不能セクターの各項目には、現時点における代替処理セクターの数、スピンリトライカウントのトータル回数、現在保留中のセクターの数、代替処理不能セクターの数が数字で表示される。
【００９２】
領域５１２の“残り寿命の目安”の項目には、各ＨＤＤ１０６の残り寿命の算出結果が表示される。ユーザは、この項目に表示された残り寿命を参照することにより、各ＨＤＤ１０６の交換の要否を大まかに把握することができる。ユーザは、表示５１２ａを選択することにより、残り寿命の算出方法を確認できる。
【００９３】
以上のように、ユーザは、領域５１２の表示を参照することにより、各ＨＤＤ１０６に不具合が生じているか否か、および、各ＨＤＤ１０６を交換すべきか否かを確認できる。ＨＤＤ１０６の温度上昇は、ＨＤＤ１０６の故障へと繋がりやすい。また、通電時間はＨＤＤ１０６の老朽化の目安となる。さらに、ハードディスクに不具合が生じると、セクターの置換回数や代替不能処理セクターの数が増加する。したがって、ユーザは、領域５１２を参照して、これらの要素を確認することに、各ＨＤＤ１０６の不具合を確認でき、故障前に未然に、各ＨＤＤ１０６の交換などの対応をとることができる。
【００９４】
さらに、本実施形態では、項目の値が閾値を超えた場合に、対応する欄が強調表示されるため、ユーザは、故障原因となり得る要素をより的確に把握できる。なお、セクターの置換回数や代替不能処理セクターの数に応じて、対応する欄がより顕著に強調表示されてもよい。たとえば、セクターの置換回数や代替不能処理セクターの数が第１の閾値を超えた場合、対応する欄に黄色を付し、セクターの置換回数や代替不能処理セクターの数が第１の閾値よりも大きい第２の閾値を超えた場合、対応する欄に赤色を付すようにしてもよい。
【００９５】
領域５１４には、映像記録装置１０に搭載されたファームウェアのバージョンと、映像記録装置１０の種別と、映像記録装置１０の内部時計が示す日時が表示される。領域５１５には、映像記録装置１０の内部時計が示す日時と、ＰＣ３２の時計が示す日時と、これら２つの日時の差が示される。
【００９６】
ユーザは、領域５１５の表示を参照することにより、映像記録装置１０の内部時計の日時を補正する必要があるか否かを確認できる。銀行等の施設に監視システム１が設置される場合、映像記録装置１０は、スタンドアローンの状態で設置されるため、内部時計に狂いが生じやすい。他方、映像記録装置１０の内部時計に狂いがあると、記録された映像に付された日時が実際の日時からずれてしまい、映像による検証を適正に行えないことになる。このような問題を解消するため、映像記録装置１０の内部時計を適正な日時に補正する必要がある。
【００９７】
映像記録装置１０の内部時計の日時を補正する場合、ユーザは、別の画面から、日時の補正指示を入力する。これにより、監視装置３０のＩＦボード３１から信号線４１ａに、図１１の番号６〜９の送信パケットが出力される。出力された送信パケットは、制御信号線４１を介して、映像記録装置１０に受信される。これにより、映像記録装置１０の内部時計の日時が補正される。
【００９８】
なお、映像記録装置１０の内部時計が示す日時と、ＰＣ３２の時計が示す日時との間に所定時間以上の差が生じた場合に、監視装置３０が、自動的に、図１１の番号６〜９の送信パケットを出力するようにしてもよい。
【００９９】
図１３は、カメラ情報のタブ５１ｃが選択された場合の監視画面５０の構成を示す図である。
【０１００】
この場合、監視画面５０には、領域５２１〜５２６が設定される。領域５２１には、監視カメラ２０の接続状態が表示される。図１３の例では、映像記録装置１０に配置された１６のチャンネル（図２の映像入力ＩＦ１０２）のうち、４つのチャンネルに対する監視カメラ２０の接続状態が表示されている。ユーザは、チェックボックス５２１ａを選択することにより、エラー回数をカウントしないように設定できる。また、ユーザは、キー５２１ｂを選択することにより、領域５２１の表示をリセットできる。
【０１０１】
領域５２１の項目のうち、カメラ接続の項目には、各映像入力ＩＦ１０２（ＣＨ１〜ＣＨ４）に対する監視カメラ２０の接続状態（接続されている場合：ＯＮ）が表示される。監視カメラ２０の接続状態は、図８の番号１に示すカメラ接続のデータに基づいて決定される。
【０１０２】
エラー回数の項目には、各映像入力ＩＦ１０２（ＣＨ１〜ＣＨ４）に接続された監視カメラ２０に接続エラーが生じた回数が表示される。監視装置３０の制御部３２４は、たとえば、図８の番号１に示すカメラ接続状態のデータが１（映像信号あり）から０（映像信号なし）に変化したことにより、接続エラーを検出する。この他、図８の番号６に示すビデオロスのデータが０から１に変化したことにより、接続エラーを検出してもよい。
【０１０３】
所定の映像入力ＩＦ１０２（ＣＨ１〜ＣＨ４）において、エラー回数が所定回数（たとえば１回）以上になると、当該映像入力ＩＦ１０２（ＣＨ１〜ＣＨ４）のエラー回数の表示欄に所定の色（黄色、赤色、等）が付されて、当該表示欄が強調表示される。これにより、ユーザは、監視カメラ２０の異常を的確に把握できる。
【０１０４】
常時録画、モーション録画、センサ録画および手動録画の項目には、これらの録画モードが各監視カメラ２０に設定されているか否か（設定されている場合：ＯＮ）が表示される。録画回数１（Ｍ）および録画回数２（Ｍ）の項目には、領域５２２の録画回数１（Ｍ）および録画回数２（Ｍ）でそれぞれ設定されている時間帯において、モーション録画が行われた回数が表示される。録画回数１（Ｓ）および録画回数２（Ｓ）の項目には、領域５２２の録画回数１（Ｓ）および録画回数２（Ｓ）でそれぞれ設定されている時間帯において、センサ録画が行われた回数が表示される。ビデオロスの項目には、各映像入力ＩＦ１０２（ＣＨ１〜ＣＨ４）が非接続状態にあるか否か（非接続状態の場合：ＯＮ）が表示される。ビデオロスの項目の内容は、図８の番号６に示すビデオロスのデータに基づいて決定される。
【０１０５】
領域５２２は、モーション録画の回数を計数する時間帯およびセンサ録画の回数を計数する時間帯を設定するための領域である。ユーザは、入力部３２３を介して領域５２２の設定キーと完了キー操作することにより、各時間帯を変更することができる。
【０１０６】
領域５２３は、送信パケットのレングスエラーが発生したことの履歴を日時とともに表示する領域である。
【０１０７】
領域５２４は、映像記録装置１０から受信したインターバルデータの受信履歴を表示する領域である。ここで、インターバルデータとは、図３（ａ）の処理フローにより一定周期（たとえば１分周期）で映像記録装置１０から制御信号線４１に出力される状態情報のことである。
【０１０８】
領域５２４の下方に配置されたチェックボックス５２４ａは、映像記録装置１０から所定時間（たとえば１０分間）の間、インターバルデータが受信されなかった場合に、監視装置３０がどのように対応するかを設定するためのものである。
【０１０９】
ここで、エラー表示のチェックボックス５２４ａが選択された場合、インターバルデータを所定時間受信しないことに応じて、エラーメッセージが領域５２４に表示される。また、警告のチェックボックス５２４ａが選択された場合、インターバルデータを所定時間受信しないことに応じて、警告表示が領域５２４に表示される。また、再起動のチェックボックス５２４ａが選択された場合、インターバルデータを所定時間受信しないことに応じて、再起動のコマンドが監視装置３０から映像記録装置１０に送信される。また、クリアのチェックボックス５２４ａが選択された場合、インターバルデータを所定時間受信しないことに応じて、領域５２４の表示がクリアされる。
【０１１０】
監視装置３０が映像記録装置１０からインターバルデータを所定時間受信しない場合、映像記録装置１０の電源が遮断されている等、映像記録装置１０に何らかの異常が生じている可能性がある。ユーザは、チェックボックス５２４ａの選択に応じた領域５２４の表示により、映像記録装置１０に異常に円滑に対応できる。
【０１１１】
領域５２５には、モーション録画の履歴が日時とともに表示される。領域５２６には、センサ録画の履歴が日時とともに表示される。
【０１１２】
図１４は、ＨＤＤ温度グラフのタブ５１ｄが選択された場合の監視画面５０の構成を示す図である。
【０１１３】
この場合、領域５３１に、各ＨＤＤ１０６の温度（ハードディスク付近の温度）の履歴が折れ線グラフで表示される。図１４の例は、映像記録装置１０にＨＤＤ１０６が１つだけ搭載されている場合のものである。このため、図１４には、１つの折れ線グラフが領域５３１に表示されている。ユーザは、スクロールバー５３１ａを操作することにより、折れ線グラフを時間軸方向に推移させることができる。
【０１１４】
領域５３１の表示を参照することにより、ユーザは、各ＨＤＤ１０６の温度の推移を確認できる。これにより、ユーザは、温度が急激に上昇したＨＤＤ１０６や、温度が不安定なＨＤＤ１０６を確認でき、不具合を起こす可能性のあるＨＤＤ１０６に対し円滑に対応することができる。
【０１１５】
＜実施形態の効果＞
本実施形態によれば、以下の効果が奏される。
【０１１６】
映像記録装置１０と監視カメラ２０とを接続する制御信号線４１に監視装置３０が分岐接続され、制御信号線４１を用いて状態情報が映像記録装置１０から監視装置３０に送信される。したがって、ＬＡＮ等のネットワークを構築することなく、低コストの構成により、状態情報を監視装置３０に送信できる。ここで、制御信号線４１に出力された状態情報は、監視装置３０とともに、監視カメラ２０においても受信される。しかし、状態情報は、監視カメラ２０を制御するため制御信号と区別可能な送信パケットで送信されるため、このように状態情報が監視カメラ２０に受信されても、監視カメラ２０の制御に影響を与えることがない。さらに、状態情報には、映像記録装置１０の状態を示す情報が含まれるため、監視装置３０において、映像記録装置１０の状態を示す監視画面５０を表示させ得る。
【０１１７】
したがって、本実施形態に係る監視システム１によれば、ＬＡＮ等のネットワークを構築することなく、低コストで、映像記録装置１０の状態を円滑に確認することができる。
【０１１８】
また、映像記録装置１０は、所定の時間間隔（たとえば１分周期）で、送信パケットを出力し、監視装置３０は、送信パケットの受信に応じて、監視画面５０を更新する。これにより、ユーザは、リアルタイムで監視システム１の状態を確認することができる。
【０１１９】
また、映像記録装置１０から監視装置３０に送信される状態情報は、各ＨＤＤ１０６の状態を示すＨＤＤ情報を含み、監視装置３０は、ＨＤＤ情報に基づいて、各ＨＤＤ１０６の状態を含む監視画面５０（図１２参照）を表示部３２２に表示させる。これにより、ユーザは、映像データの記録手段であるＨＤＤ１０６の状態を監視でき、ＨＤＤ１０６の不具合により監視カメラ２０からの映像が正しく記録されない事態を回避することができる。
【０１２０】
また、ＨＤＤ情報は、各ＨＤＤ１０６の温度を含み、監視装置３０は、ＨＤＤ１０６の温度が閾値を超える場合に、図１２の領域５１２の当該ＨＤＤ１０６に対応する欄に所定の色（黄色や赤色）を付して、当該ＨＤＤ１０６に不具合が生じる可能性があることを示す警告表示を行う。これにより、ユーザは、温度異常によりＨＤＤ１０６に不具合が生じる可能性を的確に把握でき、必要な措置を円滑に進めることができる。
【０１２１】
また、監視装置３０は、図１４に示すように、各ＨＤＤ１０６の温度の変遷を示すグラフを監視画面５０において表示させる。これにより、ユーザは、温度が急激に上昇したＨＤＤ１０６や、温度が不安定なＨＤＤ１０６を確認でき、不具合を起こす可能性のあるＨＤＤ１０６に対し円滑に対応することができる。
【０１２２】
また、ＨＤＤ情報は、各ＨＤＤ１０６の通電時間を含み、監視装置３０は、ＨＤＤ１０６の通電時間が所定の閾値を超える場合に、図１２の領域５１２の当該ＨＤＤ１０６に対応する欄に所定の色（黄色や赤色）を付して、当該ＨＤＤ１０６に不具合が生じる可能性があることを示す警告表示を行う。これにより、ユーザは、通電時間が長くなったことによりＨＤＤ１０６に不具合が生じる可能性が高くなったことを的確に把握でき、ＨＤＤ１０６の交換等の必要な措置を円滑に進めることができる。
【０１２３】
また、ＨＤＤ情報は、各ＨＤＤ１０６におけるセクターの代替処理に関する情報を含み、監視装置３０は、代替処理に関する情報が所定のエラー条件（図１２の領域５１３に設定されたセクター代替処理に関する閾値）に適合した場合に、図１２の領域５１２の当該ＨＤＤ１０６に対応する欄に所定の色（黄色や赤色）を付して、当該ＨＤＤ１０６に不具合が生じる可能性があることを示す警告表示を行う。これにより、ユーザは、セクターの代替処理数が増加してＨＤＤ１０６（ハードディスク）に不具合が生じる可能性が高くなったことを的確に把握でき、必要な措置を円滑に進めることができる。
【０１２４】
また、図１２の領域５１２に示すように、監視装置３０は、映像記録装置１０に搭載された全てのＨＤＤ１０６について、現在の動作状態を表示する。これにより、ユーザは、各ＨＤＤ１０６に不具合が生じる可能性を容易に確認できる。
【０１２５】
また、状態情報は、監視カメラ２０の状態を示すカメラ情報をさらに含んでおり、監視装置３０は、受信した送信パケットに含まれるカメラ情報に基づいて、監視カメラ２０の状態を示す表示（図１３参照）を監視画面５０に含める。これにより、ユーザは、さらに、監視カメラ２０の不具合を確認することができる。
【０１２６】
映像記録装置１０から監視装置３０に送信される送信パケットは、特異な同期データを用いることにより、前記監視カメラを制御する制御信号と区別可能となっている。これにより、監視カメラ２０の制御に影響を及ぼすことなく、状態情報を含む送信パケットを、監視装置３０に受信させることができる。
【０１２７】
以上、本発明の実施形態について説明したが、本発明は上記実施形態に何ら制限されるものではなく、また、本発明の実施形態も上記以外に種々の変更が可能である。
【０１２８】
たとえば、上記実施形態では、１つの映像記録装置１０に１６の監視カメラ２０が接続可能であったが、１つの映像記録装置１０に接続可能な監視カメラ２０の数はこれに限られるものではない。また、上記実施形態では、映像記録装置１０に８つのＨＤＤ１０６が搭載可能であったが、映像記録装置１０に搭載可能なＨＤＤ１０６の数はこれに限られるものではない。監視画面５０の構成およびレイアウトも、適宜変更可能である。
【０１２９】
また、上記実施形態では、映像記録装置１０は、ＨＤＤ情報として、温度と通電時間がハードディスクに逐次、更新記録されたが、これらの情報は、必ずしも、ハードディスクに記録されなくてもよく、監視装置３０にこれらの情報を送信する際に映像記録装置１０が取得して、監視装置３０に送信するようにしてもよい。また、ＨＤＤ情報は、映像記録装置１０に搭載された各ＨＤＤ１０６に記録されてもよく、あるいは、何れか１つのＨＤＤ１０６に記録されてもよい。あるいは、ＨＤＤ１０６に代えて、ＲＡＭ等の映像記録装置１０内の他の記録媒体にＨＤＤ情報が記録されてもよい。
【０１３０】
また、監視カメラ２０からの情報を記録する媒体として、映像記録装置１０にＳＳＤ（solidstate drive）が搭載されてもよい。この場合、監視装置３０は、映像記録装置１０からＳＳＤの状態に関する情報（温度、通電時間、総可動日数、セクター関連情報、等）を受信して管理および表示を行う。監視画面は、ＨＤＤ１０６の場合と同様に構成され得る。
【０１３１】
また、映像記録装置１０は、ＤＶＲに限らず、ネットワークカメラ録画装置（ＮＶＲ）等、監視カメラからの情報を記録する他の種類の映像記録装置であってもよい。
【０１３２】
この他、本発明の実施形態は、特許請求の範囲に示された技術的思想の範囲内において、適宜、種々の変更が可能である。
【符号の説明】
【０１３３】
１  監視システム
１０  映像記録装置
２０  監視カメラ
３０  監視装置
４１  制御信号線
４１ａ  信号線
３２２  表示部
【図１】
2018061177.tif 000003
【図２】
2018061177.tif 000004
【図３】
2018061177.tif 000005
【図４】
2018061177.tif 000006
【図５】
2018061177.tif 000007
【図６】
2018061177.tif 000008
【図７】
2018061177.tif 000009
【図８】
2018061177.tif 000010
【図９】
2018061177.tif 000011
【図１０】
2018061177.tif 000012
【図１１】
2018061177.tif 000013
【図１２】
2018061177.tif 000014
【図１３】
2018061177.tif 000015
【図１４】
2018061177.tif 000016